(57)【要約】【課題】原稿を用意するだけで、画像形成装置に従来から搭載されている種々の機能を有効に活用して効果的なプレゼンテーションを可能にする画像形成複合装置を得る。【解決手段】原稿画像を光学的に読み取って画像データとして出力する画像読取り部１１と、画像データを一時的に記憶しておく記憶部１４と、画像データを用紙上に印刷する印刷部１２と、ネットワーク４０上の端末と通信するネットワーク通信部１５と、オペレータが操作可能な操作部と所定の情報を表示可能な表示部を有する操作パネル１３と、演算処理部１６と、画像拡大して表示可能なプロジェクタ５０及び／又はインタラクティブボード６０とを備えた画像形成複合装置。画像読取り部１１から得た画像データをサムネイル画像として操作パネル１３の表示部にプレビュー表示し、さらに、サムネイル画像をプロジェクタ５０又はインタラクティブボード６０によって拡大表示する。【選択図】図１
2011091466.tif 000002
【特許請求の範囲】
【請求項１】
原稿画像を光学的に読み取って画像データとして出力する画像読取り手段と、
画像データを一時的に記憶しておく記憶手段と、
画像データを用紙上に印刷する印刷手段と、
ネットワーク上の端末と通信するネットワーク通信手段と、
オペレータが操作可能な操作部と、所定の情報を表示可能な表示部を有する操作パネルと、
演算処理手段と、
画像を拡大して表示可能な画像表示手段と、
を備え、
前記演算処理手段は、前記画像読取り手段から得た画像データをサムネイル画像として前記操作パネルの表示部にプレビュー表示し、さらに、プレビュー表示されたサムネイル画像を前記画像表示手段によって拡大表示すること、
を特徴とする画像形成複合装置。
【請求項２】
前記画像表示手段は、画像データに基づく画像を投影可能なプロジェクタであること、を特徴とする請求項１に記載の画像形成複合装置。
【請求項３】
前記画像表示手段は、画像データに基づく画像を拡大表示可能であるとともに、書き込まれた文字や図形を元の画像データに追記可能なインタラクティブボードであること、を特徴とする請求項１に記載の画像形成複合装置。
【請求項４】
前記演算処理手段は、前記インタラクティブボードに追記されたデータを元の画像データに合成して前記記憶手段に記憶すること、を特徴とする請求項３に記載の画像形成複合装置。
【請求項５】
前記演算処理手段は、前記インタラクティブボードに二つの画像データが同時に表示され、かつ、インタラクティブボードに画像が追加された場合、該二つの画像データを追加画像とともに一つの画像として前記記憶手段に記憶すること、を特徴とする請求項４に記載の画像形成複合装置。
【請求項６】
前記演算処理手段は、前記インタラクティブボードに二つの画像データが同時に表示され、かつ、インタラクティブボードに画像が追加された場合、該二つの画像データを追加画像とともに二つの画像に分けて前記記憶手段に記憶すること、を特徴とする請求項４に記載の画像形成複合装置。
【請求項７】
前記操作パネルの操作部は、前記プレビュー表示された複数のサムネイル画像のうち前記画像表示手段で表示するための画像を選択可能であること、を特徴とする請求項１に記載の画像形成複合装置。
【請求項８】
前記演算処理手段は、前記操作部で二つの画像が選択された場合は、選択された二つの画像を前記画像表示手段によって同時に表示すること、を特徴とする請求項７に記載の画像形成複合装置。
【請求項９】
前記演算処理手段は、前記画像読取り手段によって原稿の両面画像を読み取った場合、前記操作パネルの表示部に両面画像をそれぞれサムネイル画像として表示するとともに、前記操作部で選択された両面画像のいずれか一方又は両方を前記画像表示手段に拡大表示すること、を特徴とする請求項７に記載の画像形成複合装置。
【請求項１０】
前記操作パネルの操作部は、前記画像読取り手段から追加的に得た画像データを現在プレビュー表示されているサムネイル画像への追加位置を選択可能であること、を特徴とする請求項１に記載の画像形成複合装置。
【請求項１１】
前記操作パネルの操作部は、前記画像データを前記画像表示手段によって表示する際の解像度を設定可能であること、を特徴とする請求項１に記載の画像形成複合装置。
【請求項１２】
前記演算処理手段は、前記画像記憶手段に一時的に記憶された画像データを上書き消去する機能を有し、該上書き消去機能は前記画像表示手段によって拡大表示された画像データに対して自動的に適用されること、を特徴とする請求項１に記載の画像形成複合装置。
【請求項１３】
前記画像読取り手段にて読み取られた画像データをテキストデータに変換し、他の言語へ翻訳するとともにその画像データを生成する手段を備え、
前記演算処理手段は、前記翻訳の元となった画像データと翻訳された画像データとを前記画像表示手段によって同時に表示すること、
を特徴とする請求項１に記載の画像形成複合装置。
【発明の詳細な説明】
【技術分野】
【０００１】
本発明は、画像形成複合装置、特に、画像読取り機能やプリント機能のみならず通信機能などを備えた画像形成複合装置に関する。
【背景技術】
【０００２】
近年、複写機においては、ネットワークに接続された端末やサーバとの通信機能や、画像をプロジェクタに転送するなどの種々の機能を備えて複合機化している。そして、この種の複合装置をパソコンと連携するプロジェクタやインタラクティブボードと組み合わせ、電子文書を使ったプレゼンテーションに適用することが提案されている。
【０００３】
しかしながら、ＩＳＯ／ＩＳＭＳなどの情報セキュリティによる規制が行われていると、プレゼンテーションの場にパソコンなどの端末の持込みが難しいという制約があった。このような制約のもとでは、参加者分のペーパー資料を用意する必要があり、煩雑であった。また、ペーパー資料ではプロジェクタによる画像の投影のように参加者全員が画面を共有することができない不便さがあった。
【０００４】
特許文献１には、原稿をスキャンして得た画像を投影表示する原稿撮像装置が記載されている。バッファメモリを２段階に設けることで、原稿表示の前準備が不要で、多くの原稿画像を一括して読み取ることができ、プロジェクタを使用することで効率よくプレゼンテーションを行うことができるものである。しかし、この原稿撮像装置では、表示する原稿画像は１ページ分であり、特許文献１では、複数の画像を同時に表示するようなプレゼンテーションには何ら言及していない。
【先行技術文献】
【特許文献】
【０００５】
【特許文献１】特開２００３−２６３６３０号公報
【発明の概要】
【発明が解決しようとする課題】
【０００６】
そこで、本発明の目的は、原稿を用意するだけで、画像形成装置に従来から搭載されている種々の機能を有効に活用して効果的なプレゼンテーションを可能にする画像形成複合装置を提供することにある。
【課題を解決するための手段】
【０００７】
以上の目的を達成するため、本発明の一形態である画像形成複合装置は、
原稿画像を光学的に読み取って画像データとして出力する画像読取り手段と、
画像データを一時的に記憶しておく記憶手段と、
画像データを用紙上に印刷する印刷手段と、
ネットワーク上の端末と通信するネットワーク通信手段と、
オペレータが操作可能な操作部と、所定の情報を表示可能な表示部を有する操作パネルと、
演算処理手段と、
画像を拡大して表示可能な画像表示手段と、
を備え、
前記演算処理手段は、前記画像読取り手段から得た画像データをサムネイル画像として前記操作パネルの表示部にプレビュー表示し、さらに、プレビュー表示されたサムネイル画像を前記画像表示手段によって拡大表示すること、
を特徴とする。
【０００８】
前記画像形成複合装置においては、手持ちの原稿を画像読取り手段で読み取って画像データを生成することにより、該画像データを拡大表示し、画面を多人数で共有した状態でのプレゼンテーションが可能になる。このとき、画像データはサムネイル画像として操作パネルの表示部にプレビュー表示されるので、実際に拡大表示するための画像を容易に選択できる。このようなプレビュー表示は複写機に既設されている操作パネルの表示部を使用すれば、新たな表示部を設ける必要がない。しかも、複写機として既設の両面原稿読取り機能や２ｉｎ１機能などを使用すれば、より効果的な原稿の読取りや画像の表示が可能になる。さらに、インタラクティブボードなどを付設することにより、その場で追加／加工された画像データを取得することも可能である。
【発明の効果】
【０００９】
本発明によれば、原稿を用意するだけで、画像形成装置に従来から搭載されている種々の機能を有効に活用して効果的なプレゼンテーションが可能になる。
【図面の簡単な説明】
【００１０】
【図１】本発明に係る画像形成複合装置の一実施例を示す概略構成図である。
【図２】前記画像形成複合装置の基本的な動作を示すシーケンス図である。
【図３】プレゼンテーションの第１例を示す説明図である。
【図４】プレゼンテーションの第２例を示す説明図である。
【図５】プレゼンテーションの第３例を示す説明図である。
【図６】プレゼンテーションの制御手順の第１例を示すフローチャート図である。
【図７】プレゼンテーションの制御手順の第２例を示すフローチャート図である。
【図８】プレゼンテーションの第４例を示す説明図である。
【図９】プレゼンテーションされた画像を取り込む際の説明図である
【図１０】追加的に読み取られた画像データをプレビュー表示する際の説明図である。
【図１１】表示する画像の解像度を選択する際の説明図である。
【図１２】プレゼンテーションの第５例を示す説明図である。
【発明を実施するための形態】
【００１１】
以下、本発明に係る画像形成複合装置の実施例について、添付図面を参照して説明する。なお、各図において同じ部材、部分を示す符号は共通して用いている。
【００１２】
（画像形成複合装置の概略構成、図１参照）
本発明の一実施例である画像形成複合装置は、図１に示すように、複合機本体１とプロジェクタ５０とインタラクティブボード６０とで構成されている。複合機本体１は、画像読取り部１１と、印刷部１２と、操作パネル１３と、記憶部１４と、ネットワーク通信部１５と、演算処理部１６とで構成されている。
【００１３】
画像読取り部１１は、原稿画像を光学的に読み取って画像データとして演算処理部１６に出力するもので、通常、スキャナと称されている。印刷部１２は、感光体ドラムを中心として帯電器、現像器、転写器などで構成され（これらは図示せず）、周知の電子写真方式にて画像データを用紙上にトナー像として形成する。なお、印刷部１２としては、電子写真方式以外に、インクジェット方式、熱転写方式などによって画像を出力するものであってもよい。操作パネル１３は、液晶などによって所定の情報を表示する表示部と、液晶表示部に重ねて設置されたタッチパネルからなるオペレータのための操作部とで構成されている。
【００１４】
記憶部１４は、画像データや温度情報などの各種データ、ソフトウエアなどを記憶するもので、ハードディスクや不揮発性のメモリなどで構成されている。画像読取り部１１から転送されてくる画像データは、この記憶部１４に一時的に記憶される。ネットワーク通信部１５はＬＡＮなどのローカルネットワーク４０を介して外部機器との通信が可能である。ネットワーク４０にはメールサーバ４１や図示しないパソコンなどの端末、プロジェクタ５０やインタラクティブボード６０が接続されている。メールサーバ４１は、インターネットなどを経由して電子メールを通信するためのものである。また、複合機本体１にはネットワーク４０を経由して画像データが転送されてくる場合もある。このような画像データは記憶部１４に一時的に記憶される。
【００１５】
プロジェクタ５０は画像データをスクリーンに拡大投影可能な周知のもので、ＶＧＡ端子接続によってネットワーク通信部１５に接続されていてもよい。また、インタラクティブボード６０は、画像データをスクリーンに拡大して表示するプロジェクションモードと、専用のマーカーホルダーを用いて文字や図形を書き込むホワイトボードモードを備えたもので、書き込まれた文字や図形を表示されている元の画像データに追記可能である。そして、追記されたデータは元の画像データに合成してネットワーク通信部１５を介して記憶部１４に記憶される。
【００１６】
演算処理部１６は、複合機本体１やプロジェクタ５０、インタラクティブボード６０などを全体的に制御するもので、マイクロプロセッサやリードオンリーメモリ、ランダムアクセスメモリなどの組合せによって構成されている。
【００１７】
（基本的動作のシーケンス、図２参照）
画像形成複合装置による基本的な動作について、図２を参照して説明する。まず、オペレータが複合機本体１の画像読取り部１１を使用して手持ちの原稿をスキャンして読み取ると、画像読取り部１１から転送された画像データに対して仕上がりプレビュー機能を適用すると（ステップＳ２０１）、演算処理部１６は画像データをサムネイル画像として操作パネル１３の表示部にプレビュー表示する（ステップＳ２０２）。
【００１８】
そして、演算処理部１６はプロジェクタ５０が接続されているか否かを確認し（ステップＳ２０３）、接続されていれば、サムネイル画像をプロジェクタ５０へ転送してスクリーンへ投影させる（ステップＳ２０４）。オペレータは、操作パネル１３の操作部を使用して表示画像を別のものに変更したり、複数の画像を表示することを選択できる（ステップＳ２０５）。また、複数の画像データを合成して投影させることもできる（ステップＳ２０６）。画像データを表示する機器としてはインタラクティブボード６０であってもよい。
【００１９】
このように、本画像形成複合装置にあっては、オペレータは仕上がりプレビュー機能を使用して画像読取り部１１で読み取った画像データを即時にスクリーンに拡大表示することができる。即ち、オペレータは画像を電子データとして持っていなくとも、ペーパーとして保持しておれば、室内に設置されている画像形成複合装置を用いて即座にプレゼンテーションを実施することができる。また、複合機本体１は基本的に既存の複写機の機能を応用できる。
【００２０】
（プレゼンテーションの第１例〜第３例、図３〜図５参照）
以下に、プレゼンテーションの具体例について説明する。ここでは、プロジェクタ５０による表示について説明するが、インタラクティブボード６０を使用して表示するようにしてもよい。
【００２１】
プレゼンテーションの第１例を示す図３において、（Ａ）はプロジェクタ５０によるスクリーン５１上の投影画面を示し、（Ｂ）は操作パネル１３の表示部１３１のプレビュー画面を示している。具体的には、画像読取り部１１を用いて５枚の原稿画像のデータが得られており、１枚目から３枚目までの画像データがサムネイル画像として表示部１３１に表示させている。この表示部１３１はタッチパネルとしての操作部の機能を備えており（以下、表示／操作部１３１と記す）、１枚目のサムネイル画像キー１３２ａにタッチすることにより、１枚目の画像が選択されてプロジェクタ５０によってスクリーン５１に拡大表示される。２枚目、３枚目のサムネイル画像を表示するには、それぞれキー１３２ｂ，１３２ｃにタッチすればよい。
【００２２】
表示／操作部１３１にはスクロールキー１３１ａ，１３１ｂが表示されており、キー１３１ａを１回オンすることにより、次ページのサムネイル画像が繰り上がって表示される。キー１３１ｂを１回オンすることにより、前ページのサムネイル画像が繰り下げられて表示される。
【００２３】
プレゼンテーションの第２例を示す図４においては、表示／操作部１３１にプレビュー表示されている画像のうち１枚目と２枚目のサムネイル画像が選択されている状態を示しており、ここで選択された２枚の画像がプロジェクタ５０によって同時にスクリーン５１に拡大表示される。このように、２枚の画像を同時にプロジェクタ５０によって投影表示する場合には、表示／操作部１３１のキー１３１ｃをオンすることにより複数選択モードを起動させ、サムネイル画像キー１３２ａ，１３２ｂにタッチする。キー１３１ｃを再度オンすることにより複数選択モードが解除される。
【００２４】
プレゼンテーションの第３例は、画像読取り部１１によって両面原稿の両面画像を読み取った場合の例である（図５参照）。両面原稿であることの情報は、画像読取り部１１から演算処理部１６へ伝達される。この場合、読み取られた画像データは表示／操作部１３１に並べてサムネイル画像として表示され、図５（Ｂ）に示すように、表裏２枚の画像キー１３２ｄ，１３２ｅにタッチして選択すると、２枚の画像がプロジェクタ５０によってスクリーン５１に拡大表示される（図５（Ａ）参照）。また、表裏いずれかの画像を単独に選択してスクリーン５１に拡大表示することも可能である。この場合は、キー１３１ｃをオンして複数選択モードを解除し、その後、画像キー１３２ｄ，１３２ｅのいずれかにタッチすることで、表裏いずれかの画像を選択することになる。
【００２５】
（制御手順、図６及び図７参照）
ここで、前記第１例、第２例及び第３例での制御手順について説明する。制御手順の第１例は、図６に示すように、オペレータから原稿画像のスキャンを指示されると、画像読取り部１１にて原稿画像を読み取り（ステップＳ６０１）、画像データに変換したうえで、サムネイル画像として操作パネル１３に表示する（ステップＳ６０２）。そして、複合機本体１に画像表示機器（プロジェクタ５０又はインタラクティブボード６０）が接続されているか否かを確認する（ステップＳ６０３）。画像表示機器が接続されていれば（ステップＳ６０４でＹＥＳ）、選択されたサムネイル画像を投影表示する（ステップＳ６０５）。
【００２６】
ところで、前記演算処理部１６は前記記憶部１４に一時的に記憶された画像データを上書き消去するセキュリティ機能を有していてもよい。この上書き消去機能はプロジェクタ５０又はインタラクティブボード６０によって表示された画像データに対して自動的に適用される。これにて、この画像形成複合装置によって使用された画像データが外部に漏洩しないセキュリティ機能が確実に発揮されることになる。
【００２７】
図７に示す制御手順の第２例はこのようなセキュリティ機能を考慮した場合を示す。ステップＳ７０１〜Ｓ７０５は図６に示したステップＳ６０１〜Ｓ６０５と同じ処理を行い、セキュリティ機能を有している場合は（ステップＳ７０６でＹＥＳ）、画像データを投影表示中は一時的にセキュリティ機能を動作させる。データを消去するのに時間がかかるため、セキュリティ機能は極力動作は避けたい。セキュリティ機能を画像データの投影表示実施中にのみオンすることで、会議資料など機密性の高いデータを確実に上書き消去し、かつ、操作性の低下を極力抑えることができる。
【００２８】
（プレゼンテーションの第４例、図８及び図９参照）
次に、プレゼンテーションの第４例について図８を参照して説明する。本第４例は、画像をインタラクティブボード６０のスクリーン６１に拡大表示した場合である。インタラクティブボード６０は画像表示機能のみならず文字や図形の書込み機能を備えている。図８（Ａ）にはスクリーン６１上に表示された画像にオペレータが書込みを行った状態を示し、図８（Ｂ）にはその書込みを含めたサムネイル画像が操作／表示部１３１に表示されている状態を示している。
【００２９】
即ち、インタラクティブボード６０には５枚の読取り画像のうち１枚面と２枚目とが表示されており、この２枚の画像に跨って線画が書き込まれた状態を示している。画像データとしても、元画像データに書込みデータを合成した状態で記憶部１４に取り込まれ、印刷キー１３１ｄ及び／又は配信キー１３１ｅをオンすることで、合成画像データを印刷及び／又は電子メールとして配信することができる。
【００３０】
詳しくは、図９に示すように、オペレータが印刷キー１３１ｄをオンすると、「元原稿のページ割で印刷」するか、「表示している画面構成で印刷」するかを選択するためのキー１３２ｆ，１３２ｇが表示される。「元原稿のページ割で印刷」する場合、１枚目と２枚目の画像部分に分割して記憶部１４に記憶されるとともに、１枚目及び２枚目に分割された合成画像が印刷される。この場合、二つの原稿領域からはみ出た追加画像は消去されることになる。また、「表示している画面構成で印刷」する場合、１枚目と２枚目の画像が１画面として記憶部１４に記憶されるとともに、この１画面が印刷される。配信される場合も同様である。
【００３１】
（読取り画像の取込み、図１０参照）
次に、既に読み取った何枚かの画像が存在しておりサムネイル画像として表示／操作部１３１にプレビュー表示されている場合、画像読取り部１１で新たに読み取った画像データをプレビュー画面のサムネイル画像に追加する場合を図１０を参照して説明する。図１０は既に読み取った５枚の画像のうち１枚目を拡大表示している状態を示している。このとき、新しい原稿が読み取られると、「何枚目の画像に差し込むか指定して下さい」という表示がなされ、表示領域１３３に「１」の文字がデフォルト表示される。この状態で「リストに差込む」と表示されているキー１３４をオンすると、追加画像データが１枚目の画像としてサムネイル画像に追加される。追加位置は表示領域１３３の数字を変更することにより選択することができ、オペレータにとって使い勝手が良好である。
【００３２】
（表示画像の解像度の選択、図１１参照）
前述のサムネイル画像は解像度が低く（通常、１０２４×７６８）、投影された画面のサイズによっては投影画像が粗くなる可能性がある。そのため、本実施例では、サムネイル画像とは異なった解像度で拡大表示する機能を付加している。図１１に示すように、表示／操作部１３１に「投影機器の解像度を指定してください」の表示とともに、種々の解像度を選択するキー１３５ａ〜１３５ｅが表示され、これらのキー１３５ａ〜１３５ｅのいずれかをオンすることにより、好ましい解像度を選択して投影表示することができる。
【００３３】
（プレゼンテーションの第５例、図１２参照）
次に、プレゼンテーションの第５例について図１２を参照して説明する。本複合機本体１に付加されている翻訳／画像データ生成手段部は、画像読取り部１１にて読み取られた画像データをテキストデータに変換し、他の言語へ翻訳するとともにその画像データを生成する周知の機能を有するもので、前記記憶部１４に格納されている。この機能を利用することにより、図１２（Ａ）に示すように、翻訳の元となった読み取られた画像データと翻訳された画像データとをスクリーン５１又は６１に拡大表示する。図１２（Ｂ）はそのときに表示／操作部１３１にサムネイル画像として表示されている状態を示す。
【００３４】
（他の実施例）
なお、本発明に係る画像形成複合装置は前記実施例に限定するものではなく、その要旨の範囲内で種々に変更できる。
【００３５】
特に、画像形成複合装置の基本的な構成は任意であり、他にファクシミリ機能などを備えていてもよい。
【産業上の利用可能性】
【００３６】
以上のように、本発明は、画像形成複合装置に有用であり、特に、原稿を用意するだけで、画像形成装置に従来から搭載されている種々の機能を有効に活用して効果的なプレゼンテーションが可能になる点で優れている。
【符号の説明】
【００３７】
１…複合機本体
１１…画像読取り部
１２…印刷部
１３…操作パネル
１４…記憶部
１５…ネットワーク通信部
１６…演算処理部
５０…プロジェクタ
６０…インタラクティブボード
１３１…表示／操作部
【図１】
2011091466.tif 000003
【図２】
2011091466.tif 000004
【図３】
2011091466.tif 000005
【図４】
2011091466.tif 000006
【図５】
2011091466.tif 000007
【図６】
2011091466.tif 000008
【図７】
2011091466.tif 000009
【図８】
2011091466.tif 000010
【図９】
2011091466.tif 000011
【図１０】
2011091466.tif 000012
【図１１】
2011091466.tif 000013
【図１２】
2011091466.tif 000014